(57)【要約】【課題】異なる無線通信方式の電波の干渉をより簡易に検出する。【解決手段】所定の周波数帯における電波の受信強度の時間的変化を測定する測定部１２と、受信強度の時間的変化に基づいて、所定の周波数において定期的に検出される継続信号を検出する検出部１３と、複数の継続信号の周波数と出現タイミングに基づいて複数の継続信号が互いに干渉するか否か判定する判定部１４を有する。これにより、スペクトルアナライザ等の測定器の測定結果を分析することなく、異なる無線通信方式の電波の干渉をより簡易に検知できる。【選択図】図２
2019213145.tif 000002
【特許請求の範囲】
【請求項１】
電波の干渉を検知する電波干渉検知装置であって、
所定の周波数帯における電波の受信強度の時間的変化を測定する測定部と、
前記受信強度の時間的変化に基づいて、所定の周波数において定期的に検出される継続信号を検出する検出部と、
複数の継続信号が検出された場合、前記複数の継続信号の周波数と出現タイミングに基づいて前記複数の継続信号が互いに干渉するか否かを判定する判定部と、
を有することを特徴とする電波干渉検知装置。
【請求項２】
所定の無線通信方式において使用される電波の周波数範囲に関する情報を記憶する記憶部を有し、
前記検出部は、前記周波数範囲に関する情報の示す周波数において前記継続信号を検出することを特徴とする請求項１に記載の電波干渉検知装置。
【発明の詳細な説明】
【技術分野】
【０００１】
本発明は、互いに干渉する電波信号を検知する技術に関する。
【背景技術】
【０００２】
工場およびオフィスなどの様々な環境で構内ＰＨＳ（Ｐｅｒｓｏｎａｌ  Ｈａｎｄｙｐｈｏｎｅ  Ｓｙｓｔｅｍ）システムが利用されている。近年では、ＤＥＣＴ（Ｄｉｇｉｔａｌ  Ｅｎｈａｎｃｅｄ  Ｃｏｒｄｌｅｓｓ  Ｔｅｌｅｃｏｍｕｎｉｃａｔｉｏｎｓ）方式のコードレス電話システムが普及している。
【０００３】
ＤＥＣＴ方式およびＰＨＳ方式はいずれも１．９ＧＨｚ帯を使用する無線通信方式である。図１に、ＤＥＣＴ方式およびＰＨＳ方式のそれぞれで使用する周波数帯域を示す。日本におけるＤＥＣＴ方式の周波数帯域は、１８９３．５Ｍｈｚから１９０６．１Ｍｈｚの間であり、帯域幅１．７２８ＭＨｚの５通信用チャネルが使用される。ＰＨＳ方式の周波数帯域は、ＤＥＣＴ方式と同一の１８９３．５Ｍｈｚから１９０６．１Ｍｈｚの間であり、帯域幅３００ｋＨｚの４０通信用チャネルと２制御用チャネルが使用される。同一周波数、同一時間にＤＥＣＴ方式のコードレス無線システムとＰＨＳ方式のコードレス無線システムのそれぞれから電波信号が送信されると、ＤＥＣＴ方式の電波信号とＰＨＳ方式の電波信号とが干渉し、通話途切れなどの故障の原因となる。
【０００４】
ＤＥＣＴ方式およびＰＨＳ方式は、どちらもＴＤＭＡ／ＴＤＤ（Ｔｉｍｅ  Ｄｉｖｉｓｉｏｎ  Ｍｕｌｔｉｐｌｅ  Ａｃｃｅｓｓ：時分割多重／Ｔｉｍｅ  Ｄｉｖｉｓｉｏｎ  Ｄｕｐｌｅｘ：時分割複信）方式であり、それぞれ一定の長さの時間スロットにおいて、基地局と各端末が順次通信を行う。ＤＥＣＴ方式の１フレームは１０ｍｓであり、１フレームは１２個または２４個の時間スロットからなる。ＰＨＳ方式の１フレームは５ｍｓであり、１フレームは８個の時間スロットからなる。ＤＥＣＴ方式とＰＨＳ方式のいずれにおいても、１フレーム中の時間スロットの半分が上り通信に使用され、半分が下り通信に使用される。
【０００５】
最近は、１．９ＧＨｚ帯を使用する新たな無線通信方式の導入も検討されており（非特許文献１）、コードレス電話システムを導入する際の電波の干渉の問題はよりクローズアップされると思われる。
【先行技術文献】
【非特許文献】
【０００６】
【非特許文献１】“デジタルコードレス電話の無線局の高度化に係る技術的条件”、［online］、平成29年3月31日、総務省、［平成30年5月15日検索］、インターネット〈URL：http://www.soumu.go.jp/menu_news/s-news/01kiban14_02000291.html 〉
【発明の概要】
【発明が解決しようとする課題】
【０００７】
ＤＥＣＴ方式の電波とＰＨＳ方式の電波の干渉を検知する場合、スペクトルアナライザ等の測定器を使用して、同じ周波数上にＤＥＣＴ方式の電波とＰＨＳ方式の電波が存在するか否かを判定していた。
【０００８】
しかしながら、ＤＥＣＴ方式の電波とＰＨＳ方式の電波が同じ周波数上に存在していても、同一周波数で同一時間に両者が存在していなければ干渉は発生しないので、周波数上の測定だけでは干渉が発生するか否かの判定は困難である。また、スペクトルアナライザの測定結果の分析には高度なスキルを要する。
【０００９】
本発明は、上記に鑑みてなされたものであり、異なる無線通信方式の電波の干渉をより簡易に検知することを目的とする。
【課題を解決するための手段】
【００１０】
本発明に係る電波干渉検知装置は、電波の干渉を検知する電波干渉検知装置であって、所定の周波数帯における電波の受信強度の時間的変化を測定する測定部と、前記受信強度の時間的変化に基づいて、所定の周波数において定期的に検出される継続信号を検出する検出部と、複数の継続信号が検出された場合、前記複数の継続信号の周波数と出現タイミングに基づいて前記複数の継続信号が互いに干渉するか否かを判定する判定部と、を有することを特徴とする。
【００１１】
上記電波干渉検知装置において、所定の無線通信方式において使用される電波の周波数範囲に関する情報を記憶する記憶部を有し、前記検出部は、前記周波数範囲に関する情報の示す周波数において前記継続信号を検出することを特徴とする。
【発明の効果】
【００１２】
本発明によれば、異なる無線通信方式の電波の干渉をより簡易に検知することができる。
【図面の簡単な説明】
【００１３】
【図１】ＤＥＣＴ方式およびＰＨＳ方式のそれぞれで使用する周波数帯域を示す図である。
【図２】本実施形態の電波干渉検知装置の構成を示す機能ブロック図である。
【図３】スペクトル測定で得られた測定結果の一例を表示した図である。
【図４】時間−スペクトル測定で得られた測定結果の一例を表示した図である。
【図５】信号が重なる例を示す図である。
【図６】信号が重なっていない例を示す図である。
【図７】本実施形態の電波干渉検知装置の処理の流れを示すフローチャートである。
【発明を実施するための形態】
【００１４】
以下、本発明の実施の形態について図面を用いて説明する。
【００１５】
図２は、本実施形態の電波干渉検知装置１の構成を示す機能ブロック図である。本実施形態の電波干渉検知装置１は、ＤＥＣＴ方式あるいはＰＨＳ方式のコードレス電話システムの導入時に、導入したコードレス電話システムの電波に干渉する電波を検知する装置である。
【００１６】
電波干渉検知装置１は、アンテナ１１、測定部１２、検出部１３、判定部１４、及び表示部１５を備える。
【００１７】
測定部１２は、アンテナ１１で電波を受信し、ＤＥＣＴ方式およびＰＨＳ方式で用いられる１．９ＧＨｚ帯の電波の強度を測定する。具体的には、測定部１２は、所定の時間（例えば、５秒間、１分間、連続）における各周波数でのピークの受信強度を測定するスペクトル測定、あるいは所定の時間における各周波数の受信強度の時間的変化を測定する時間−スペクトル測定を行う。測定結果は、電波干渉検知装置１の備える記憶装置に記録される。例えば、スペクトル測定では、周波数ごとの受信強度が記録される。時間−スペクトル測定では、周波数ごとの受信強度が時間ごとに記録される。
【００１８】
図３は、スペクトル測定で得られた測定結果の一例を表示した図である。同図では、横軸に周波数を取り、縦軸に受信強度を取った。
【００１９】
図４は、時間−スペクトル測定で得られた測定結果の一例を表示した図である。同図では、横軸に周波数を取り、縦軸に時間を取った。受信強度は色で表現する。例えば、受信強度の小さい順に、青、緑、黄、橙、赤の順とする。所定の閾値以上の受信強度のみをプロットしてもよい。
【００２０】
検出部１３は、各周波数の受信強度の時間的変化を測定した測定結果から、所定の周波数において定期的に出現する継続信号を検出し、継続信号の使用周波数と出現タイミングを特定する。検出部１３は、ある周波数において定期的に出現する信号は、同一のコードレス電話システムで使用される信号であると推定する。複数のコードレス電話システムが存在する場合は、複数の継続信号が検出される。例えば、図４の例では、信号１００Ａ〜１００Ｆは、同じ周波数で定期的に検出されているので、同じコードレス電話システムで使用されている信号であると推定する。信号１００Ａ，１００Ｃ，１００Ｅは下り信号であり、信号１００Ｂ，１００Ｄ，１００Ｆは上り信号である。また、信号２００Ａ，２００Ｂも、同じ周波数で定期的に検出されているので、同じコードレス電話システムで使用されている信号であると推定する。図４の例では、検出部１３は、２つのコードレス電話システムで使用されている継続信号を検出する。
【００２１】
検出部１３は、図４に示したような、横軸に周波数を取り、縦軸に時間を取った平面上に時間−スペクトル測定の測定結果をプロットした画像を解析することで、同じコードレス電話システムからの継続信号を検出してもよい。例えば、検出部１３は、図４に示す測定結果の画像において、所定の閾値以上の受信強度を持つ領域（例えば緑以上の色を持つ領域）を検出し、同じ幅で縦方向（時間方向）に並ぶ複数の領域を同じコードレス電話システムからの継続信号として検出する。
【００２２】
ＤＥＣＴ方式およびＰＨＳ方式のいずれも、図１に示したように、使用する周波数および周波数幅が規定されている。検出部１３は、ＤＥＣＴ方式およびＰＨＳ方式で使用される周波数に関する情報を保持しておき、ＤＥＣＴ方式およびＰＨＳ方式で使用される周波数において定期的に検出される継続信号を検出してもよい。検出部１３の検出した継続信号がＤＥＣＴ方式あるいはＰＨＳ方式のいずれのチャネルの信号か判定してもよい。
【００２３】
検出部１３は、新たに導入したコードレス電話システムの使用する周波数に関する情報を保持しておき、その周波数において定期的に検出される継続信号は新たに導入したコードレス電話システムの信号であると推定してもよい。
【００２４】
判定部１４は、検出部１３の検出した複数の継続信号が互いに干渉しているか否か判定する。判定部１４は、複数の継続信号の周波数が互いに異なる場合は干渉していないと判定する。判定部１４は、周波数が互いに重なる場合であっても、複数の継続信号の出現時刻が重ならなければ干渉していないと判定する。判定部１４は、複数の継続信号の周波数が互いに重なり、出現時刻も重なる場合は干渉していると判定する。
【００２５】
例えば、図５に示す例では、複数の継続信号の周波数が重なり、信号の出現時刻も重なっている。図６に示す例では、複数の継続信号の周波数は重なるが、信号の出現時刻は重なっていない。したがって、判定部１４は、図５に示す例を干渉していると判定し、図６に示す例を干渉していないと判定する。ただし、図６に示す例では、信号の出現タイミングがずれると複数の継続信号が干渉する可能性があるので、干渉の可能性ありと判定してもよい。
【００２６】
判定部１４は、検出部１３の検出した継続信号の周波数において、所定の閾値以上の受信強度を検出したときに干渉が発生していると判定してもよい。例えば、図４に示す測定結果の画像において、赤色の領域を検出したときに干渉が発生していると判定する。
【００２７】
判定部１４は、検出部１３の検出した継続信号の使用周波数と出現タイミングから判定してもよい。
【００２８】
図５に示す例では、信号が重なっている部分は受信強度が大きくなるので、スペクトル測定でも干渉を検出できる。
【００２９】
図６に示す例では、測定時には干渉がなく障害が生じていないと思われるが、信号の出現タイミングがずれると信号が互いに干渉し合って障害が発生する可能性がある。図６に示す例では、信号が重なっていないのでスペクトル測定では干渉を検出できないが、時間−スペクトル測定を行うことで、干渉の可能性を判定できる。
【００３０】
表示部１５は、判定部１４の判定結果を表示する。表示部１５は、例えば、判定結果として、干渉の有無、干渉の可能性を表示する。表示部１５は、互いに干渉する信号および干渉の可能性のある信号についての情報（通信方式および使用チャネル）を表示してもよい。表示部１５は、図３，４のように、測定部１２の測定結果を表示してもよい。
【００３１】
次に、本実施形態の電波干渉検知装置１の動作について説明する。
【００３２】
図７は、本実施形態の電波干渉検知装置１の処理の流れを示すフローチャートである。
【００３３】
作業者は、電波干渉検知装置１の測定モードを選択し、測定を開始する（ステップＳ１）。測定モードは、各周波数の受信強度を測定するスペクトル測定と各周波数の受信強度の時間的変化を測定する時間−スペクトル測定がある。ここでは、作業者が時間−スペクトル測定を選択し、電波干渉検知装置１が測定を開始したとする。
【００３４】
電波干渉検知装置１は、各周波数の電波の受信強度の時間的変化を測定すると、測定結果から定期的に出現する継続信号を検出する（ステップＳ２）。
【００３５】
電波干渉検知装置１が複数の継続信号を検出しなかった場合は（ステップＳ３のＮＯ）、ステップＳ６へ進み、干渉は無い旨の結果を表示する。
【００３６】
電波干渉検知装置１が複数の継続信号を検出したが（ステップＳ３のＹＥＳ）、複数の継続信号の周波数が重なっていない場合は（ステップＳ４のＮＯ）、ステップＳ６へ進み、干渉は無い旨の結果を表示する。
【００３７】
電波干渉検知装置１が周波数が重なる複数の継続信号を検出したが（ステップＳ４のＹＥＳ）、複数の継続信号の出現タイミングが重なっていない場合は（ステップＳ５のＮＯ）、ステップＳ６へ進み、干渉は無いが干渉する可能性がある旨の結果を表示する。
【００３８】
電波干渉検知装置１が同一周波数、同一タイミングで出現する複数の継続信号を検出した場合は（ステップＳ５のＹＥＳ）、干渉が有る旨の結果を表示する（ステップＳ６）。
【００３９】
以上説明したように、本実施の形態によれば、所定の周波数帯における電波の受信強度の時間的変化を測定する測定部１２と、受信強度の時間的変化に基づいて、所定の周波数において定期的に検出される継続信号を検出する検出部１３と、複数の継続信号の周波数と出現タイミングに基づいて複数の継続信号が互いに干渉するか否かを判定する判定部１４を有することにより、スペクトルアナライザ等の測定器の測定結果を分析することなく、異なる無線通信方式の電波の干渉をより簡易に検知できる。
【符号の説明】
【００４０】
１…電波干渉検知装置
１１…アンテナ
１２…測定部
１３…検出部
１４…判定部
１５…表示部
【図１】
2019213145.tif 000003
【図２】
2019213145.tif 000004
【図３】
2019213145.tif 000005
【図４】
2019213145.tif 000006
【図５】
2019213145.tif 000007
【図６】
2019213145.tif 000008
【図７】
2019213145.tif 000009